(57)【要約】【課題】構造的に堅固であり、各種のユニットや装置が容易に装備できる多機能なバルコニーの手摺フレームユニットを提供する。【解決手段】バルコニーの手摺フレームユニット１は、コンクリートスラブ２の側面から板厚方向に打設されるアンカーボルト４と、アンカーボルト４によりコンクリートスラブ２に固定される方立取付けブラケット５と、隣接する上下階の方立取付けブラケット５に接合されて縦方向に配置される方立柱３と、方立柱３に取付けられる笠木持出ブラケット７と、隣接する左右の方立柱３に笠木持出ブラケット７を介して接合されて横方向に配置される笠木６と、を備える。【選択図】図１
2011012390.tif 000002
【特許請求の範囲】
【請求項１】
建物のバルコニーのコンクリートスラブ上に設けられる手摺フレームユニットにおいて、
コンクリートスラブの先端の側面から板厚方向に打設されるアンカーボルトと、
アンカーボルトによりコンクリートスラブに固定される方立取付けブラケットと、
隣接する上下階の方立取付けブラケットに接合されて縦方向に配置される方立柱と、
方立柱に取付けられる笠木持出ブラケットと、
隣接する左右の方立柱に笠木持出ブラケットを介して接合されて横方向に配置される笠木と、
を備えることを特徴とするバルコニーの手摺フレームユニット。
【請求項２】
請求項１に記載のバルコニーの手摺フレームユニットであって、方立柱に取付けられる下桟持出しブラケットと、隣接する左右の方立柱に下桟持出ブラケットを介して接合されて横方向に配置される下桟と、を備え、笠木と下桟とは、板状のパネルを上下で支持することを特徴とするバルコニーの手摺フレームユニット。
【請求項３】
請求項１又は２に記載のバルコニーの手摺フレームユニットであって、隣接する左右の方立柱は、ルーバーユニットを支持することを特徴とするバルコニーの手摺フレームユニット。
【請求項４】
請求項１又は２に記載のバルコニーの手摺フレームユニットであって、隣接する左右の方立柱は、壁面緑化ユニットを支持することを特徴とするバルコニーの手摺フレームユニット。
【請求項５】
請求項１乃至４のいずれか１に記載のバルコニーの手摺フレームユニットであって、笠木は、アルミニウム製の型押し材から成り、内部に霧散布に用いられる水が流通する管状部を有し、笠木の上部には水を霧状にして噴射する噴霧ノズルが設けられることを特徴とするバルコニーの手摺フレームユニット。
【請求項６】
請求項１乃至５のいずれか１に記載のバルコニーの手摺フレームユニットであって、コンクリートスラブの下面には、アルミニウム製の型押し材から成る水切り枠が設けられ、水切り枠は、内部に霧散布に用いられる水が流通する管状部を有し、水切り枠の下方には水を霧状にして噴射する噴霧ノズルが設けられることを特徴とするバルコニーの手摺フレームユニット。
【請求項７】
請求項１乃至６のいずれか１に記載のバルコニーの手摺フレームユニットであって、笠木持出ブラケットが接合する部分の方立柱には、笠木持出ブラケットが上下に移動して固定可能なスロットホールが設けられ、既設のバルコニーの手摺を撤去する前に、既設の笠木の位置から上方に新設の笠木が取り付くように、方立柱に対して笠木持出ブラケットの位置を設定し、既設のバルコニーの手摺を撤去した後に、笠木が所定の位置になるように笠木持出ブラケットの位置を変更することを特徴とするバルコニーの手摺フレームユニット。
【請求項８】
請求項７に記載のバルコニーの手摺フレームユニットであって、既設の立上りコンクリート部には、別途笠木を設けてコンクリート面を遮蔽することを特徴とするバルコニーの手摺フレームユニット。
【発明の詳細な説明】
【技術分野】
【０００１】
本発明は、バルコニーの手摺フレームユニットに係り、特に、建物のバルコニーのコンクリートスラブ上に設けられるバルコニーの手摺フレームユニットに関する。
【背景技術】
【０００２】
例えば、マンションなどの集合住宅、オフィスビル、個人住宅、店舗などに設置されるバルコニーは、建物の床スラブが張り出したコンクリート製のスラブ上に設けられる。なお、ここで、バルコニーとは、例えば、ベランダ、外部廊下、外部階段などの手摺が取り付く部所の総てが含まれる。そして、これらのバルコニーには、人や物がバルコニーから落下しないようにアルミニウム製又はステンレスなどの鋼製の手摺が取付けられる。この手摺は自立型の手摺フレームにより構成され、この自立型の手摺フレームは、アンカーボルトによりコンクリートスラブに定着される柱、柱の上部を横方向に繋ぐ笠木、柱の下部を横方向に繋ぐ下桟、及び柱及び下桟を繋ぐ縦桟や横桟などから構成されるのが一般的である。そして、そのフレーム内に、例えばガラス、パネルなどの板材が取付けられる場合がある。
【０００３】
また、建物の外壁にルーバーユニットを設置して日差しが直接建物に当たるのを防ぎ、建物の冷暖房効果を上げることが試みられている。また、特許文献１及び特許文献２に示すように建物のバルコニーを利用して壁面緑化を行い、緑化による冷暖房効果と同時に住環境を改善させることが試みられている。
【０００４】
また、バルコニーの手摺に配管を沿わせ、水道から供給された水を配管に取付けた噴霧ノズルにより霧状にした水を噴射し、室の冷房効果を上げる冷房装置が開発され実用化されている。
【０００５】
さらに、集合住宅などでは、老朽化したバルコニーの手摺を新たな手摺に取り替える改修工事が行われる。
【先行技術文献】
【特許文献】
【０００６】
【特許文献１】特開２００４−１５９５８２号公報
【特許文献２】特開２００１−９０１７６号公報
【発明の概要】
【発明が解決しようとする課題】
【０００７】
バルコニーの自立型手摺の柱は、コンクリートスラブの先端に設けられた立上りコンクリートに縦方向に定着される。しかし、この立上りコンクリートは、コンクリートスラブの厚みに立上りコンクリートの高さを加えた深さが浅いため、アンカーボルトのコンクリートへの定着長さが十分に取れないという問題がある。また、躯体施工時にコンクリートの打設や鉄筋の配筋が不十分な場合があり、強度不足のまま自立型手摺の柱が定着されるという問題がある。さらに、長年、雨水に曝されることで立上りコンクリートの内部の中性化が進行し、立上りコンクリートの躯体強度が著しく低下し、自立型手摺の柱を支持できなくなるという問題がある。これらの問題から、老朽化した建物のバルコニーの手摺が壊れ、人が落下するなどの人身事故が発生する虞がある。
【０００８】
また、建物のバルコニーに設置されるルーバーユニットや壁面緑化ユニットなどは、一般的なバルコニーの手摺にユニットを支持するフレームを新たに設置しなければならず、風圧力を受けた場合にバルコニーの手摺に過度の応力が発生してしまうという問題がある。
【０００９】
さらに、配管に取付けた噴霧ノズルにより霧状にした水を噴射し、室内の冷房効果を上げる冷房装置は、バルコニーに配管により水を供給しなければならないという問題がある。また、壁面緑化ユニットについても、植物に水を供給するために配管を設置して水を供給しなければならないという問題がある。
【００１０】
さらに、マンションなどの集合住宅において手摺を取り替える改修工事では、住居者が住んでいるなかで工事を施工しなければならず、既存の手摺を撤去して新たな手摺を取付けるまでの間、手摺がない危険な状態が生じ、仮設の手摺を設置しなければならないという問題がある。
【００１１】
本願の目的は、かかる課題を解決し、構造的に堅固であり、各種のユニットや装置が容易に装備できる多機能なバルコニーの手摺フレームユニットを提供することである。
【課題を解決するための手段】
【００１２】
上記目的を達成するため、本発明に係るバルコニーの手摺フレームユニットは、建物のバルコニーのコンクリートスラブ上に設けられる手摺フレームユニットにおいて、コンクリートスラブの先端の側面から板厚方向に打設されるアンカーボルトと、アンカーボルトによりコンクリートスラブに固定される方立取付けブラケットと、隣接する上下階の方立取付けブラケットに接合されて縦方向に配置される方立柱と、方立柱に取付けられる笠木持出ブラケットと、隣接する左右の方立柱に笠木持出ブラケットを介して接合されて横方向に配置される笠木とを備えることを特徴とする。
【００１３】
上記構成により、バルコニーの手摺フレームユニットは、アンカーボルトがコンクリートスラブの側面から板厚方向に打設され、アンカーボルトのコンクリートへの定着長さを十分に取ることができる。また、立上りコンクリートの打設及び配筋不足による強度不足の問題、及びコンクリートの中性化の問題が立上りコンクリートに比較して少ないコンクリートスラブを活用することができ、バルコニーの手摺フレームユニットは構造的に強固な支点を有するフレームとなる。
【００１４】
また、方立柱は、隣接する上下階の方立取付けブラケットに接合されて縦方向に配置されることから、上下の方立取付けブラケットにより２箇所のコンクリートスラブを支点として支持される。従来の自立型の柱は、構造的に立上りコンクリートから片持ち梁として自立させる形式であったが、本発明では、構造的に両端支持の単純梁となる。これにより、バルコニーの手摺フレームユニットは構造的に強固なフレームとなる。
【００１５】
また、バルコニーの手摺フレームユニットは、方立柱に取付けられる下桟持出しブラケットと、隣接する左右の方立柱に下桟持出ブラケットを介して接合されて横方向に配置される下桟と、を備え、笠木と下桟とが、板状のパネルを上下で支持することが好ましい。これにより、笠木と下桟とが構造的に強固な方立柱からブラケットを介して持ち出され、安全性の高い笠木及び下桟にすることができる。
【００１６】
また、バルコニーの手摺フレームユニットは、隣接する左右の方立柱が、ルーバーユニット又は壁面緑化ユニットを支持することが好ましい。これにより、ルーバーユニット及び壁面緑化ユニットを容易にバルコニーの手摺フレームユニットに組み込むことができる。また、構造的に強固な手摺フレームユニットに安全性を確保しながら各種の多機能なユニットを容易に支持することができる。
【００１７】
また、バルコニーの手摺フレームユニットは、笠木が、アルミニウム製の型押し材から成り、内部に霧散布に用いられる水が流通する管状部を有し、笠木の上部には水を霧状にして噴射する噴霧ノズルが設けられることが好ましい。これにより、噴霧ノズルにより霧状にした水を噴射し、室の冷房効果を上げる冷房装置において、笠木を活用することで配管を省略することができ、経済性及び美観に優れた冷房装置にすることができる。
【００１８】
また、バルコニーの手摺フレームユニットは、コンクリートスラブの下面には、アルミニウム製の型押し材から成る水切り枠が設けられ、水切り枠は、内部に霧散布に用いられる水が流通する管状部を有し、水切り枠の下方には水を霧状にして噴射する噴霧ノズルが設けられることが好ましい。これにより、噴霧ノズルにより霧状にした水を噴射し、室の冷房効果を上げる冷房装置において、水切り枠を活用することで配管を省略することができ、経済性及び美観に優れた冷房装置にすることができる。また、壁面緑化ユニットに対して容易に散水することができる。
【００１９】
また、バルコニーの手摺フレームユニットは、笠木持出ブラケットが接合する部分の方立柱には、笠木持出ブラケットが上下に移動して固定可能なスロットホールが設けられ、既設のバルコニーの手摺を撤去する前に、既設の笠木の位置から上方に新設の笠木が取り付くように、方立柱に対して笠木持出ブラケットの位置を設定し、既設のバルコニーの手摺を撤去した後に、笠木が所定の位置になるように笠木持出ブラケットの位置を変更することが好ましい。これにより、既設のバルコニーの手摺を撤去し、本発明に係るバルコニーの手摺フレームユニットを新設する際に、既存の手摺を撤去して新たな手摺を取付けるまでの間に手摺がない危険な状態が回避できる。また、仮設の手摺を設置する必要がなくなる。
【００２０】
また、バルコニーの手摺フレームユニットは、既設の立上りコンクリート部には、別途笠木を設けてコンクリート面を遮蔽することが好ましい。これにより、本発明の手摺フレームユニットを老朽化した建物のバルコニーの改修にも活用することができる。
【発明の効果】
【００２１】
以上のように、本発明に係るバルコニーの手摺フレームユニットによれば、構造的に堅固であり、各種のユニットや装置が容易に装備できる多機能なバルコニーの手摺フレームユニットを提供することができる。
【図面の簡単な説明】
【００２２】
【図１】本発明に係るバルコニーの手摺フレームユニットの１つの実施形態の概略構成を示す斜視図である。
【図２】バルコニーの手摺フレームユニットの構成を示す断面図である。
【図３】図２のＡ−Ａ断面図である。
【図４】従来のバルコニーの手摺と本発明のバルコニーの手摺フレームユニットとの構造的な相違を示す断面図である。
【図５】方立柱に取付けたルーバーユニット及び壁面緑化ユニットを示す断面図である。
【図６】笠木を利用した水の噴霧システムについての実施例を示す側面図及び断面図である。
【図７】水切り枠を利用した水の噴霧方法についての実施例を示す断面図である。
【図８】既設のバルコニーの手摺を撤去し新設の本発明に係るバルコニーに改修する際の手順について示す断面図である。
【発明を実施するための形態】
【００２３】
以下に、図面を用いて本発明に係るバルコニーの手摺フレームユニットの実施形態につき、詳細に説明する。
【００２４】
図１に、バルコニーの手摺フレームユニットの構成を斜視図で示す。また、図２に、バルコニーの手摺フレームユニットの構成を断面図で示す。バルコニーの手摺フレームユニット１は、建物のバルコニーのコンクリートスラブ２上に設けられ、方立柱３、アンカーボルト４ａ、方立取付けブラケット５ａ，５ｂ、笠木６、笠木持出ブラケット７、下桟８、及び下桟持出ブラケット９から構成される。本実施形態では、笠木６と下桟８との空間には板ガラス１０が嵌め込まれるが、他の仕様、例えば、ボード、横桟、縦桟などであっても良い。
【００２５】
図２に示すように、アンカーボルト４ａは、コンクリートスラブ２の側面から板厚方向に定着される。従来のアンカーボルト４ｂを図２に破線で示す。従来のアンカーボルト４ｂは、図２に破線で示すコンクリートスラブ２の先端の立上りコンクリート１１に縦方向に定着される。本発明では、コンクリートスラブ２の側面から板厚方向に定着することで、アンカーボルト４ａのコンクリートスラブ２への定着長さを十分に取ることができる。また、コンクリートの打設時の強度不足の問題、及びコンクリートの中性化の問題が立上りコンクリート１１と比較して少ないコンクリートスラブ２を活用することができ、バルコニーの手摺フレームユニット１を構造的に強固な支点を有するフレームとすることができる。
【００２６】
図３に、図２のＡ−Ａ断面を示す。方立取付けブラケット５ａは、π（パイ）の字の断面を有し、アンカーボルト４ａのアンカーナット１２によりコンクリートスラブ２に固定される。本実施形態では、アンカーボルト４ａはケミカルアンカーが用いられる。また、方立取付けブラケット５ｂは、コの字の断面を有し、ボルト１３ａにより方立取付けブラケット５ａと接合し、ボルト１３ｂにより方立柱３と接合される。これらのボルト接合方式により方立柱３はコンクリートスラブ２に強固に固定される。
【００２７】
方立柱３は、隣接する上下階の方立取付けブラケット５ｂに接合されて縦方向に配置される。この方立柱３は、アルミニウム製の型押し材であり、図３に示すように２つのウェブ１５により３つの閉鎖部を有する。図１に示すように、方立柱３は所定の間隔でバルコニーの手摺フレームユニット１の縦方向のラインを形成する。方立柱３の縦方向の接続は、図２に示すように、方立柱３同士の連結部に方立柱接合サヤ管１４を配置し、方立柱３の内部のウェブ１５と方立柱接合サヤ管１４とをボルト１３ｃにより固定する。
【００２８】
図４に、従来のバルコニーの手摺と本発明のバルコニーの手摺フレームユニット１との構造的な相違を示す。図４（ａ）は、従来のバルコニーの手摺の構造であり、図４（ｂ）は、本発明に係るバルコニーの手摺フレームユニット１の構造である。図４（ａ）に示す従来のバルコニーの手摺は、立上りコンクリート１１からバルコニーの手摺の方立１７が片持ち梁として立ち上げられ、その上端に笠木１６が設けられている。この笠木１６や方立１７に、例えば、後述するルーバーユニット３０や壁面緑化ユニット３１などの面材が取付けられると風圧力（Ｐ）を受けてアンカーボルト４ｂには曲げモーメント（Ｍ）が発生する。また、片持ち梁の風圧力（Ｐ）による変形量は大きいのが特徴である。一方、図４（ｂ）に示す本発明のバルコニーの手摺フレームユニット１は、両端支持の単純梁となるためアンカーボルト４ａには軸力（Ｔ）が作用する。また、両端支持の単純梁の風圧力（Ｐ）による変形量は片持ち梁と比較して少ない。本来、アンカーボルトは、周囲のコンクリートとの摩擦により引張力に抵抗する構造部材であり、曲げモーメントに対しては周囲のコンクリートが破断する虞があり好ましい構造部材ではない。このように、本発明に係るバルコニーの手摺フレームユニット１は、従来のバルコニーの手摺と比較して構造的に強固な支点を有する。
【００２９】
図２に示すように、笠木６は、隣接する左右の方立柱３に対して横方向に配置される。この笠木６を配置するために、方立柱３には笠木持出ブラケット７がボルト１３ｆにより取付けられる。本実施形態では、笠木持出ブラケット７は、アルミニウム製の押出し材である。また、方立柱３に取付けられる下桟持出しブラケット９と、隣接する左右の方立柱３に下桟持出ブラケット９を介してボルト１３ｇにより接合されて横方向に配置される下桟８と、を備える。本実施形態では、笠木６と下桟８とは、板ガラス１０を支持する。このように、笠木６と下桟８とが構造的に強固な方立柱３から笠木持出ブラケット７及び下桟持出しブラケット９を介して持ち出される。これにより、風圧力（Ｐ）を受ける場合、笠木６と下桟８とは、変形量の少ない方立柱３に接続されているため、板ガラス１０の破損などの虞が少なく安全性を高めることができる。
【００３０】
図５に、方立柱３に取付けたルーバーユニット３０及び壁面緑化ユニット３１を示す。図５（ａ）は、ルーバーユニット３０の場合であり、図５（ｂ）は、壁面緑化ユニット３１の場合である。ルーバーユニット３０、及び壁面緑化ユニット３１は、隣接する左右の方立柱３内に配置されて支持される。これらのユニット３０，３１は、ボルト１３ｄ，１３ｅにより方立柱３に接合される。このように、方立柱３は、縦方向に延びる下地材として活用され、各種のユニット化された部材が容易に取付く。
【００３１】
図６及び図７に、笠木及び水切り枠を利用した水の噴霧システムについての実施例を示す。図６（ａ）は、笠木６の側面図であり、図６（ｂ）は、図６（ａ）の断面図である。笠木６はアルミニウム製の型押し材から成り、内部に霧の噴霧に用いられる水が流通する管状部１９ａを有する。この管状部１９ａには、笠木６の所定の位置に設けられた給水口１８から水道水が供給される。そして、笠木６の上部には噴霧ノズル２０ａが設けられ、水を霧状にして上方に噴射する。この霧状の水は、空気中で蒸発する際に気化熱吸収作用により周囲の気温を下げる効果がある。水の噴霧システム４０は、この効果により温度が下がった空気がバルコニーから室に入り込み冷房効果を上げる冷房装置となる。このように、アルミニウム製の型押し材から成る笠木６を流通路として活用することで配管を省略することができる。
【００３２】
図７には、水切り枠を利用した水の噴霧システムについて示す。水切り枠２１の側面図は、図６（ａ）と同様であるため省略する。従来、コンクリートスラブ２の下面から雨水が滴下するのを防止するために、コンクリートスラブ２の下面にアルミニウム製の型押し材から成る水切り枠２１が設けられる場合がある。本実施例では、この水切り枠２１を水の噴霧システム５０に活用する。すなわち、水切り枠２１は、内部に霧の噴霧に用いられる水が流通する管状部１９ｂを有し、水切り枠２１の下方には水を霧状にして噴射する噴霧ノズル２０ｂが設けられ、水を霧状にして下方に噴射する。この霧状の水は、空気中で蒸発する際に気化熱吸収作用により周囲の気温を下げる効果がある。水の噴霧システム５０は、この効果により温度が下がった空気がバルコニーから室に入り込み冷房効果を上げる冷房装置となる。また、壁面緑化ユニット３１に対して容易に散水することができる。このように、アルミニウム製の型押し材から成る水切り枠２１を流通路として活用することで、配管を省略することができる。
【００３３】
図８に、既設のバルコニーの手摺を撤去し新設の本発明に係るバルコニーに改修する際の手順について示す。図２及び図８（ｄ）に示すように、笠木持出ブラケット７がボルト１３ｆにより接合する部分の方立柱３には、笠木持出ブラケット７が上下に移動して固定可能なスロットホール２２が設けられる。図８（ａ）は、立上りコンクリート１１に定着された方立１７及び笠木１６から構成される既設のバルコニーに、外部足場（図示せず）を用いて方立柱３を建て込んだ状態を示す。図８（ｂ）は、既設のバルコニーの手摺を撤去する前に、既設の笠木１６の位置から上方に新設の笠木６が取り付くように、方立柱３に対して笠木持出ブラケット７を設定した状態を示す。すなわち、既設の手摺の笠木１６がある場合には、新設の笠木６を取付けることができない。そのため、新設の笠木６の位置を上方にずらして設置する。これにより、既設の手摺の笠木１６が撤去される前に新設の笠木６を取りつけることができる。図８（ｃ）は、既設のバルコニーの手摺を撤去した後に、笠木６が所定の位置になるように笠木持出ブラケット７の位置を図中の矢印の方向に移動させた状態を示す。
【００３４】
この改修工事では、既設の立上りコンクリート１１には、図８（ｃ）に示すように、別途笠木２６を設けて遮蔽する。このように、本発明に係るバルコニーの手摺フレームユニット１を老朽化した建物のバルコニーの改修工事にも活用することができる。
【符号の説明】
【００３５】
１  バルコニーの手摺フレームユニット、２  コンクリートスラブ、３  方立柱、４ａ，４ｂ  アンカーボルト、５ａ，５ｂ  方立取付けブラケット、６，１６，２６  笠木、７  笠木持出ブラケット、８  下桟、９  下桟持出ブラケット、１０  板ガラス、１１  立上りコンクリート、１２  アンカーナット、１３ａ，１３ｂ，１３ｃ，１３ｄ，１３ｅ，１３ｆ，１３ｇ  ボルト、１４  方立柱接合サヤ管、１５  ウェブ、１７  方立、１８  給水口、１９ａ，１９ｂ  管状部、２０ａ，２０ｂ  噴霧ノズル、２１  水切り枠、２２  スロットホール、３０  ルーバーユニット、３１  壁面緑化ユニット、４０，５０  水の噴霧システム。
【図１】
2011012390.tif 000003
【図２】
2011012390.tif 000004
【図３】
2011012390.tif 000005
【図４】
2011012390.tif 000006
【図５】
2011012390.tif 000007
【図６】
2011012390.tif 000008
【図７】
2011012390.tif 000009
【図８】
2011012390.tif 000010